(57)【要約】【課題】  フェース部の軽量化を維持し、フェース部の反発性をルール適合範囲内に抑え、且つボールをスウィートスポットから外れて打った場合でも、反発性能の低下を防ぐ。【解決手段】  ゴルフクラブヘッドは、金属材料で形成されたフェース部１０を備えており、このフェース部１０は、フェース部の中央に位置する厚肉部１６と、厚肉部の外周に位置する薄肉部１２とを備え、厚肉部１６は、楕円形状または円形状を、互いに対向する２つの側において、中心方向に略円弧状に窪ませた形状を有し、これら窪みのうち、トウ側の窪みはソール方向斜めを向き、ヒール側の窪みはクラウン方向斜めを向き、厚肉部は、フェース部の中心部１７において最も厚い肉厚を有し、この肉厚が、中心部１７から窪み形状の縁１５への方向に向かって、連続して減少し、この肉厚が連続して減少する厚肉部の面の勾配角が、中心部から縁に向かって徐々に小さくなるように変化する。【選択図】  図３
2011019708.tif 000002
【特許請求の範囲】
【請求項１】
金属材料で形成されたフェース部を備えたゴルフクラブヘッドであって、このフェース部は、フェース部の中央に位置する厚肉部と、この厚肉部の外周に位置する薄肉部とを備えており、
前記厚肉部は、楕円形状または円形状を、互いに対向する２つの側において、中心方向に略円弧状に窪ませた形状を有し、これら窪みのうち、トウ側の窪みはソール方向斜めを向き、ヒール側の窪みはクラウン方向斜めを向き、
前記厚肉部は、フェース部の中心部において最も厚い肉厚を有し、この肉厚が、前記中心部から前記楕円形状または円形状の縁および前記窪み形状の縁のうち少なくとも１つの縁への方向に向かって、連続して減少しており、この肉厚が連続して減少する厚肉部の面の薄肉部の面に対する勾配角が、前記中心部から前記縁に向かって徐々に小さくなるように変化するゴルフクラブヘッド。
【請求項２】
前記厚肉部の肉厚の連続した減少が、放物線状の減少である請求項１に記載のゴルフクラブヘッド。
【請求項３】
前記肉厚が、前記中心部から前記楕円形状または円形状の縁および前記窪み形状の縁のうち少なくとも２つの縁への方向に向かって、連続して減少しており、この少なくとも２つの肉厚が連続して減少する厚肉部の面は、前記勾配角の変化が異なるように形成されている請求項１に記載のゴルフクラブヘッド。
【請求項４】
前記肉厚が、前記中心部から前記窪み形状の縁のトウ側およびヒール側の縁への方向に向かって、連続して減少しており、前記トウ側に向かって肉厚が連続して減少する厚肉部の面は、前記ヒール側に向かって肉厚が連続して減少する厚肉部の面よりも、前記勾配角の変化が緩やかになるように形成されている請求項１に記載のゴルフクラブヘッド。  
【請求項５】
前記フェース部に占める前記薄肉部と、前記厚肉部との割合が、７５〜５５：２５〜４５である請求項１に記載のゴルフクラブヘッド。
【請求項６】
前記厚肉部の中心部の肉厚が約３．０ｍｍ〜約５．０ｍｍである請求項１に記載のゴルフクラブヘッド。
【請求項７】
前記薄肉部の肉厚が１．５ｍｍ〜２．５ｍｍである請求項１に記載のゴルフクラブヘッド。
【発明の詳細な説明】
【技術分野】
【０００１】
本発明は、ゴルフクラブヘッドに関し、詳しくは、フェース部の裏面に肉厚の改良を施したゴルフクラブヘッドに関する。
【背景技術】
【０００２】
最近のウッドクラブのヘッドは、金属材料で少なくともフェース部分を形成したものが大半を占める。フェース部分の肉厚は、ボールとの衝撃に耐え得る強度を保つために肉厚を厚くする必要がある。ヘッドの大型化が進んでいるが、ルール上４６０ｃｍ３＋許容誤差１０ｃｍ３の体積より小さくしなければならないとされることから、ドライバーのヘッドは上限にきわめて近い４６０ｃｍ３の大型ヘッドが大半を占めるに至っている。ヘッドサイズを大きくすると、スィートエリアが拡大し、周辺重量配分が強調され、左右、上下の慣性モーメントが大きくなるので、オフセンターヒット時のミスを軽減させることができる。しかしながら、ヘッドサイズを大きくし、ヘッド重量も増大させてしまうと、スイングバランスが大きくなり、ヘッドスピードが落ちて飛距離ダウンになりかねない。そこで、比重が軽く、強度も大きなチタン又はその合金（特に言及しない限り、併せて以下「チタン」という）でヘッド全体を形成するか、カーボンとチタンのコンポジットヘッドにするなどの手段が採用されている。
【０００３】
また、ヘッドサイズを大きくするのみならず、ヘッドの反発係数を高めた高反発ヘッドも数多く開発されるに至った。高反発ヘッドについては、２００８年から反発係数が０．８３０以上のものは、競技では使用できないことになった。今までは、ヘッドの大型化と平行して反発係数が上がる肉厚フェース材を積極的に用いるものが多かった。しかし、高反発ヘッドでもスィートエリア以外のフェース部分でのヒット、すなわちオフセンターヒットではスプリング効果は期待できず、飛距離が極端に低下してしまう傾向があった。
【０００４】
特開平９−１９２２７３号公報には、フェースを形成する部分のスィートスポットを含むセンター個所の肉厚を、ボールとの衝撃に耐えるのに十分な強度を保つ厚みに形成し、センター個所の周辺の肉厚をセンター個所よりも薄くすることで、フェース全体にバネ性を持たせたゴルフクラブヘッドが記載されている。
【０００５】
特開２００３−１５４０４０号公報にも、フェース部材の中央に肉厚な領域を設けたゴルフクラブヘッドが記載されている。本公報には、この肉厚な領域を、シャフト軸線に略直交する斜傾線とフェースライン溝とがなす角度をθとすると、傾斜線を対称軸として、フェースライン溝と反対側に角度θだけ傾斜する軸線に沿った略楕円状にすることが記載されている。
【０００６】
特開２００８−１３２２７６号公報には、フェース裏面の中央領域に設けられた中央厚肉部と、この中央厚肉部からフェース周縁へと延びる少なくとも４本のリブと、隣り合うリブの間に形成される薄肉部とを含むフェース部を備えたゴルフクラブヘッドが記載されている。
【先行技術文献】
【特許文献】
【０００７】
【特許文献１】特開平９−１９２２７３号公報
【特許文献２】特開２００３−１５４０４０号公報
【特許文献３】特開２００８−１３２２７６号公報
【発明の概要】
【発明が解決しようとする課題】
【０００８】
特開平９−１９２２７３号公報に記載されているようなフェース部の中央を厚肉にした場合、フェース部の反発性能は、スウィートスポットを外れてボールを打った場合、スウィートスポットでボールを打った場合に比べて、大きく低下することから、スウィートスポットでの反発性能を低く抑えると、スウィートスポット以外での反発性能は著しく低いものになるという問題がある。また、一般に、フェース部を薄肉化する程、フェース部の反発性能は高くなり、フェース部の強度は弱くなる傾向がある。よって、フェース部の軽量化を維持しながら、フェース部の強度も維持するとともに、スウィートスポットでの反発性能を低く抑えつつ、スウィートスポットを外れてボールを打った場合も、スウィートスポットに近い反発性能を得ることは難しいという問題がある。
【０００９】
そこで、本発明は、上記の問題に鑑み、フェース部の軽量化および強度を維持しつつ、フェース部の反発性をルール適合範囲内に抑えることができるとともに、ボールをスウィートスポットから外れて打った場合でも、反発性能が大きく低下するのを防ぐことができるゴルフクラブヘッドを提供することを目的とする。
【課題を解決するための手段】
【００１０】
上記の目的を達成するため、本発明は、金属材料で形成されたフェース部を備えたゴルフクラブヘッドであって、このフェース部は、フェース部の中央に位置する厚肉部と、この厚肉部の外周に位置する薄肉部とを備えており、前記厚肉部は、楕円形状または円形状を、互いに対向する２つの側において、中心方向に略円弧状に窪ませた形状を有し、これら窪みのうち、トウ側の窪みはソール方向斜めを向き、ヒール側の窪みはクラウン方向斜めを向き、前記厚肉部は、フェース部の中心部において最も厚い肉厚を有し、この肉厚が、前記中心部から前記楕円形状または円形状の縁および前記窪み形状の縁のうち少なくとも１つの縁への方向に向かって、連続して減少しており、この肉厚が連続して減少する厚肉部の面の薄肉部の面に対する勾配角が、前記中心部から前記縁に向かって徐々に小さくなるように変化する。前記厚肉部の肉厚の連続した減少は、放物線状の減少とすることができる。
【００１１】
前記肉厚は、前記中心部から前記楕円形状または円形状の縁および前記窪み形状の縁のうち少なくとも２つの縁への方向に向かって、連続して減少させることができ、この少なくとも２つの肉厚が連続して減少する厚肉部の面は、前記勾配角の変化が異なるように形成することができる。特に、前記肉厚が、前記中心部から前記窪み形状の縁のトウ側およびヒール側の縁への方向に向かって、連続して減少してさせることができ、前記トウ側に向かって肉厚が連続して減少する厚肉部の面は、前記ヒール側に向かって肉厚が連続して減少する厚肉部の面よりも、前記勾配角の変化が緩やかになるように形成することができる。
【００１２】
前記フェース部に占める前記薄肉部と、前記厚肉部との割合は、７５〜５５：２５〜４５とすることができる。前記厚肉部の中心部の肉厚は、約３．０ｍｍ〜約５．０ｍｍとすることができる。また、前記薄肉部の肉厚は、１．５ｍｍ〜２．５ｍｍとすることができる。
【発明の効果】
【００１３】
このように、本発明に係るゴルフクラブヘッドによれば、フェース部の中央に位置する厚肉部の肉厚を、上記のように、中心部から楕円形状または円形状の縁および窪み形状の縁のうち少なくとも１つの縁への方向に向かって、連続して減少させ、この肉厚が連続して減少する厚肉部の面の薄肉部の面に対する勾配角を、中心部から縁に向かって徐々に小さくなるように変化させたので、フェース部の軽量化を維持できるとともに、スウィートエリアである厚肉部でボールを打った場合でも、ルール適合範囲内の反発性に抑えることができ、また、ボールをスウィートスポットから外れて打った場合でも、反発性能が大きく低下するのを防ぐことができる。
【図面の簡単な説明】
【００１４】
【図１】本発明に係るゴルフクラブヘッドの一実施の形態を示す正面図である。
【図２】図１に示すゴルフクラブヘッドを構成するフェース部材を示す裏面図である。
【図３】III−III線に沿って図２のフェース部材を示す模式的な断面図である。
【図４】フェース部材の一実施例における断面の幅および高さを示すグラフである。
【図５】図２のフェース部材において楕円およびリブの角度を示す裏面図である。
【図６】実施例のシミュレーションにおける打点の位置を示す裏面図である。
【図７】実施例２のフェース部材の構成を示す裏面図である。
【図８】実施例３のフェース部材の構成を示す裏面図である。
【発明を実施するための形態】
【００１５】
以下、添付図面を参照して、本発明に係るゴルフクラブヘッドの一実施の形態について説明する。
【００１６】
図１に示すように、ゴルフクラブヘッド１は、フェース部を備えたフェース部材１０と本体部材２０とから構成されている。本体部材２０は、クラウン部４、ソール部５、ホゼル部６及びサイド部７を備え、一体的に形成されている。このフェース部材１０と本体部分２０は溶接により接合され、これによってヘッド内部が中空構造になっている。なお、フェース部材１０の中空構造側の表面、すなわち裏面に表われる構成を破線で示した。フェース部材１０の裏面には、フェース部材１０の厚みを変化させるための凹凸が形成されている。フェース部材１０の裏面について説明する。
【００１７】
図２は、図１に示すゴルフクラブヘッド１を構成するフェース部材１０の裏面を示す図である。図２に示すように、フェース部材１０の裏面には、中央に位置し、フェース部材の厚みを変化させた厚肉部１６と、その外周に位置し、平らな表面を有する薄肉部１２とが形成されている。厚肉部１６は、概ね、楕円形状の縁１３を有するものの、この楕円の長軸の両端部分には、それぞれ、厚肉部１６を中心方向に向かって円弧状に窪ませた窪んだ縁１５ａ、１５ｂを有する。すなわち、厚肉部１６は、楕円の短軸の両側部分に相当する楕円形状の縁１３と、窪んだ縁１５とで囲まれている。
【００１８】
楕円の中心には、フェース部材１０において最も厚い厚さを有し、表面が平らで円形状である中心部１７が形成されている。厚肉部１６は、この中心部１７から楕円形状の縁１３および窪んだ縁１５まで、厚さが減るように構成されている。
【００１９】
厚肉部１６の厚さの変化の一例を、図３に示す。図３は、図２のフェース部材をIII−III線に沿って示す模式的な断面図である。なお、図１及び図２には、厚肉部１６の厚さの変化を表現するために、等高線を描いている。また、図３の断面図は、本発明の構成を容易に理解できるように意図したものであって、縮尺通りに描いたものではいない。
【００２０】
図３に示すように、厚肉部１６の厚さは、中心部１７から窪んだ縁１５の方向に向かって、放物線状に減少するように形成することが好ましい。本明細書において、「放物線」とは、ｙ＝ａｘ２の式で表わされる二次関数のグラフである。この式において、ｙはフェース部材の厚肉部と薄肉部の肉厚の差（ｍｍ）を示し、ｘはフェース部材の面の肉厚の変化の長さ（ｍｍ）を示し、ａは０ではない。例えば、図４に示すように、中心部１７からヒール側の窪んだ縁１５ａまでの約１７ｍｍのフェース部材の面の長さに沿って、フェース部材の厚さが放物線状に急激に約１．３ｍｍ減少する。この場合、放物線の式は、ｙ＝０．００４４９８ｘ２で表わせる。また、中心部１７からトウ側の窪んだ縁１５ｂまでの約２２ｍｍのフェース部材の面の長さに沿って、フェース部材の厚さが放物線状に急激に約１．３ｍｍ減少する。この場合、放物線の式は、ｙ＝０．００２６８６ｘ２で表わせる。
【００２１】
なお、本発明は、図３および図４に限定されるものではなく、ｙ＝ａｘ２の式において、ａは、０．０００１〜０．０２の範囲が好ましく、０．００５〜０．０１５の範囲がより好ましい。また、厚肉部１６のうち、中心部１７から全方面に向かって放物線状に減少していてもよいし、中心部１７から一方または両方の窪んだ縁１５へ向かって放物線状に減少していてもよいし、中心部１７から一方または両方の楕円形状の縁１３へ向かって放物線状に減少していてもよいし、中心部１７から一方の窪んだ縁１５と一方の楕円形状の縁１３へ向かって放物線状に減少していてもよい。また、本発明は、放物線状に減少することに限定されず、厚肉部１６の肉厚が連続して減少する面の薄肉部１２の面に対する勾配角が、中心部１７から窪んだ縁１５または楕円形状の縁１３に向かって徐々に小さくなるように変化するように形成することもできる。なお、厚肉部１６では、このような放物線状等の勾配角が徐々に変化するように肉厚が減少する面の他に、中心部１７から楕円形状の縁１３または窪んだ縁１５に向かって、一定の勾配角で厚さが減少する面、すなわち、直線状の面を形成することができる。
【００２２】
中心部１７は、ゴルフクラブヘッド１のスイートスポットを含む。また、この中心部１７は、楕円の中心点を含む。この楕円の中心点とスイートスポットとは、同一であってもよいし、異なってもよい。中心部１７の半径は、約３．０ｍｍ以上が好ましく、約３．５ｍｍ以上がより好ましい。また、中心部１７の半径は、約６ｍｍ以下が好ましく、約５ｍｍ以下がより好ましい。中心部１７の半径をこの範囲にすることで、フェース部の重量を抑えることができる。なお、中心部１７は、図２に示した円形に限定されず、楕円形、長方形や菱形などの四角形、五角形や六角形などの多角形にしてもよい。中心部１７の厚さは、約３．０ｍｍ以上が好ましく、約３．４ｍｍ以上がより好ましく、約３．６ｍｍ以上が最も好ましい。また、中心部１７の厚さは、約５．０ｍｍ以下が好ましく、約４．０ｍｍ以下がより好ましく、約３．８ｍｍ以下が最も好ましい。中心部１７の厚さをこの範囲にすることで、フェース部の反発係数をルール内におさめることができる。
【００２３】
厚肉部１６の楕円形状の縁１３を形成する楕円の長軸は、トウ３側がクラウン方向に、ヒール２側がソール方向に傾いている。これは、一般に、ゴルファーの打点のばらつきが、トウ３側ではクラウン側に、ヒール２側ではソール側に片寄っていることから、このように傾けることで、スウィートスポットを外した際の打点をより多く薄肉部１４の領域内に入れることができる。具体的には、図５に示すように、ゴルフクラブヘッドを通常のアドレスポジションに置いたときの水平線４０に対して、楕円の長軸４２の傾きθａが、約５°以上となるように配置することが好ましく、約１０°以上となるように配置することがより好ましい。また、楕円の長軸４２の傾きθａは、約４０°以下が好ましく、約３０°以下がより好ましい。
【００２４】
楕円の長軸と短軸の長さの比率は、１００：５０〜５０：５０の範囲内が好ましく、９５：５０〜７０：５０の範囲内がより好ましい（長軸と短軸が同じ比率の場合は、楕円でなく、円となることは言うまでもない）。また、厚肉部１６の楕円長軸における長さ（すなわち、窪み１５ａ、１５ｂ間の長さ）と楕円短軸における長さの比率は、５：４〜５：６の範囲内が好ましい。ソール側の窪み１５ａの曲率半径は、約１２ｍｍ以上が好ましく、約１３ｍｍ以上がより好ましい。ソール側の窪み１５ａの曲率半径は、約２５ｍｍ以下が好ましく、約２０ｍｍ以下がより好ましい。
【００２５】
図２及び図３に示すように、楕円の薄肉部１２の厚さは、ほぼ均一である。フェース部材１０の薄肉部１２は、厚肉部１６よりも薄く形成されている。薄肉部１２の厚さは約１．５ｍｍ以上が好ましく、約２．１ｍｍ以上がより好ましく、約２．２ｍｍ以上が最も好ましい。一方、薄肉部１２の厚さは約２．５ｍｍ以下が好ましく、約２．４ｍｍ以下がより好ましい。薄肉部１２の厚さをこの範囲にすることで、反発係数を抑えながら、フェース部を軽量化することができる。
【００２６】
フェース部１０の全面積において、薄肉部１２と厚肉部１６（ここでは中央部１７を含む）が占める面積の割合は、７５〜５５：２５〜４５とすることが好ましく、７０〜６０：３０〜４０とすることがより好ましい。このような範囲内にすることで、フェース全体での重さと強度のバランスをとることができる。
【００２７】
フェース部材１０は、鍛造、鋳造いずれの方法でも形成可能である。また、フェース部材１０の材料としては、チタンまたはチタン合金やステンレス鋼などを用いることができる。ゴルフクラブヘッド１の体積は、約１００ｃｃ以上が好ましく、約３５０ｃｃ以上と大型にすることがより好ましい。一方、ゴルフクラブヘッド１の体積は、約５００ｃｃ以下が好ましく、約４８０ｃｃ以下がより好ましい。また、ゴルフクラブヘッド１の重量は、約１５０ｇ以上が好ましく、約１６０ｇ以上がより好ましい。一方、ゴルフクラブヘッド１の重量は、約２５０ｇ以下が好ましく、約２００ｇ以下と軽量なものがより好ましい。
【００２８】
なお、図３では、本発明の構成を容易に理解できるように、フェース部材１０の打球側の表面を平らに示したが、フェース部材１０の打球面には、曲率半径２５０ｍｍ〜８００ｍｍのバルジを形成することができる。また、同様に、フェース部材の打球面には、曲率半径２５０ｍｍ〜８００ｍｍのロールを形成することができる。
【００２９】
また、図１に示すように、本実施の形態では、ゴルフクラブヘッド１のフェース部全体がフェース部材１０となる場合について説明してきたが、本発明はこれに限定されず、例えば、フェース部の中央の部分をフェース部材とし、フェース部の両端の残りの部分をヘッド本体と一体的に形成するようにしてもよい。
【実施例】
【００３０】
本発明のフェース部材を作製し、その反発係数（ＣＯＲ：coefficient of restitution）について評価した。本実施例では、ＣＯＲ値を実際に測定する代わりに、特性時間（ＣＴ：Characteristic Time）を測定した。ＣＴ値は、全米ゴルフ協会（ＵＳＧＡ）と英国ゴルフ協会（Ｒ＆Ａ）が採用したフェースのスプリング効果を簡易的で且つ精度高く測定することができる定量的な値であって、Ｒ＆Ａルールズ・リミテッドが承認したポータブル・ペンデュラム・マシン（携帯用振り子式測定器）で測定することができる。一般的に、フェースがよく撓む方がエネルギーの損失が少なく、ボールの初速が高いことから、ＣＴ値は、その撓みをボールとフェースの接触時間で表現したものである。
【００３１】
フェース部材の構成は、図２、図７、及び図８に示したものをそれぞれ実施例１〜３に採用した。図２の実施例１では、中心部から全方向に向かって、放物線状に肉厚を減少させた。図７の実施例２では、中心部からソール側の楕円形状の縁の方向に向かってのみ（すなわち、符号１６ａで示す領域ｄ）、放物線状に肉厚を減少させ、その他の方向については直線状に肉厚を減少させた。図８の実施例３では、中心部から両方の窪んだ縁の方向に向かってのみ（すなわち、符号１６ｂ、１６ｃで示す領域で）、放物線状に肉厚を減少させ、その他の方向については直線状に肉厚を減少させた。
【００３２】
フェース部材の設計条件としては、楕円の長軸の長さを６４ｍｍ、短軸の長さを４０ｍｍ、楕円の角度θａを１５°とし、トウ側およびヒール側の窪みの曲率半径をそれぞれ３２ｍｍ、１２ｍｍとした。リブの角度θｂは６０°とした。フェース部の面積は、３８９７ｍｍ２で、フェース部全体に占める薄肉部と厚肉部（中央部を含む）の面積の割合は、５８：４２とした。
【００３３】
中央部と薄肉部の各厚さは、３．６ｍｍと２．６ｍｍとした。フェース部材の材料はチタン合金を想定し、ヤング率は１０８ＧＰａ、ポアソン比は０．３０とした。その結果、フェース部材の重量は、実施例１が５１．４８ｇ、実施例２が５２．２３ｇ、実施例３が５２．１６ｇとなった。なお、比較のため、中央部から全方面に向かって、直線状に肉厚が急激に減少させた比較例のフェース部材も作製した。この比較例の重量は、５２．５６ｇであった。
【００３４】
実施例および比較例について、ボールの打点におけるＣＴ値を測定した。ボールの打点は、図６に示すように、垂直方向および水平方向に異なる１５の打点について調べた。中央の打点５０ｃは、スウィートスポットでの打球を想定しており、フェース部材の交差部内とした。それ以外の１４の打点は、スウィートスポットを外した打球を想定した。中央の打点５０ｃからトウ側およびヒール側にそれぞれ１０ｍｍ離れた位置を、打点５０ｂ、５０ｄとし、さらにトウ側およびヒール側にそれぞれ１０ｍｍ離れた位置を、打点５０ａ、５０ｅとした。また、これら、５つの打点５０ａ〜５０ｅのクラウン側およびソール側にそれぞれ１０ｍｍ離れた位置を、５０ａＨ〜５０ｅＨおよび５０ａＬ〜５０ｅＬとした。
【００３５】
以上の条件で、実施例１〜３および比較例の各打点におけるＣＴ値を測定した。その結果を表１〜表４に示す。なお、表の結果は、中央の打点５０ｃのＣＴ値を１とした場合の比で示した。
【００３６】
【表１】
2011019708.tif 000003
【００３７】
【表２】
2011019708.tif 000004
【００３８】
【表３】
2011019708.tif 000005
【００３９】
【表４】
2011019708.tif 000006
【００４０】
表４に示すように、厚肉部の厚さを、中心部から全方面に向かって直線状に減少させた比較例は、中央の打点のＣＴ値が一番高く、ヒール側およびトウ側やソール側およびクラウン側での打点のＣＴ値は低かった。一方、表１に示すように、厚肉部の厚さを、中心部から全方面に向かって放物線状に急激に減少させた実施例１は、ヒール側およびトウ側に１０ｍｍの打点のＣＴ値は、中央の打点と同じであり、また、全体的にも、比較例と比べて均等なＣＴ値を得ることができた。
【００４１】
また、表２に示すように、厚肉部の厚さを、中心部からソール側の楕円形状の縁の方向に向かってのみ放物線状に急激に減少させた実施例２は、比較例と比べて、ソール側の打点のＣＴ値が、中央の打点のＣＴ値に近づき、より均等なＣＴ値を得ることができた。表３に示すように、厚肉部の厚さを、中心部から両方の窪んだ縁の方向に向かってのみ放物線状に急激に減少させた実施例３は、ヒール側およびトウ側に１０ｍｍの打点のＣＴ値が、中央の打点と同じとなり、比較例と比べてより均等なＣＴ値を得ることができた。
【符号の説明】
【００４２】
１  ゴルフクラブヘッド
２  ヒール
３  トウ
４  クラウン部
５  ソール部
６  ホゼル部
７  サイド部
１０  フェース部材
１２  薄肉部
１３  楕円形状の縁
１５  窪んだ縁
１６  厚肉部
１７  中心部
２０  ヘッド本体
４０  水平線
４２  楕円の長軸
５０  打点
【図１】
2011019708.tif 000007
【図２】
2011019708.tif 000008
【図３】
2011019708.tif 000009
【図４】
2011019708.tif 000010
【図５】
2011019708.tif 000011
【図６】
2011019708.tif 000012
【図７】
2011019708.tif 000013
【図８】
2011019708.tif 000014